(57)【要約】【課題】  本発明は、従来の文字の形状・情報を保持しながらも、漢字の使用規則など文字の使用条件に合わせたなんらかの明示的な情報を付加した文字フォントを作成し、これにより、記者や作家など特定の職業陣のみならず、制作会社や企業／官公庁広報、教育関係者など幅広い利用者に、安価で信頼性の高い校正支援手段を提供することを目的とする。【解決手段】  情報処理装置によって読み取り可能な文字フォントの作成時に、その文字に付帯・関連する情報を視覚により認知可能な形で付与する文字フォント作成方法であり、また文字フォントの作成時に、日本語フォントの全角文字の配置エリア１と、欧文字のための配置エリア２，３間、４，５間との差を利用し、この空きエリア６，７の上下横方向に文字形状自体とは異なる情報を配置するエリアを持たせる文字フォント作成方法である。【選択図】    図１
2011054076.tif 000002
【特許請求の範囲】
【請求項１】
情報処理装置によって読み取り可能な文字フォントの作成時に、その文字に付帯・関連する情報を視覚により認知可能な形で付与することを特徴とする文字フォント作成方法。
【請求項２】
文字フォントの作成時に、日本語フォントの全角文字の配置エリアと、欧文字のための配置エリアとの差を利用し、この空きエリアの上下横方向に文字形状自体とは異なる情報を配置するエリアを持たせることを特徴とする文字フォント作成方法。
【発明の詳細な説明】
【技術分野】
【０００１】
本発明は、情報処理装置において、文章を作成したり修正するための文字フォントの作成方法に関するものである。
【背景技術】
【０００２】
文字フォントは、日本工業規格による文字符号化規則に基く文字形状という符号化を持つものと、独自の文字形状を表す外字フォントとに大別される。
【０００３】
文字符号化規則に準ずる文字フォントは、情報交換とその結果としての出力を第１の目的に作成される。
【０００４】
一方、文字フォントによって形状を表現される文字には、その使用に関して一般に通用する規則があり、また日本工業規格の文字符号化規則とは異なる法令も存在する。
【０００５】
これらは、文書の内容について正しい理解を促すために必要なルールであり、公文書や公共性のある文章を公開する場合には、そのようなルールに則った文章作成が求められる。
【０００６】
しかしながら、それらのルール等、文字に付帯する様々な情報は文字フォントにおいては扱われず、付帯情報を確認したい情報処理装置使用者のためには、文字フォントとは独立したソフトウェアが存在するが、これらのソフトウェアの多くは、使用できるオペレーションシステム、アプリケーションソフトウェアなどの環境に制約がある。
【０００７】
したがって、これらソフトウェアを使用できる環境にない場合は、書籍としての特別な辞書を参照して付帯情報を確認しなければならないことになり、文書作成に時間と費用がかかる原因となっていた。
【０００８】
他方、文字フォントにおいて、文字形状に変形や装飾を行った結果を、新たな文字フォントとしてソフトウェアプログラム化したものや、これらの変形，装飾を使用者に行わせるアプリケーションソフトウェアが存するが、これらは文字の付帯情報とは無関係に一義的に変形，装飾がなされるにとどまっている。
【０００９】
以上説明したことを、より具体的に説明すると次のとおりである。
【００１０】
公用文書や新聞・放送用の記事においては、漢字の使用規則が定められている。一般的には、常用漢字内の使用を基本とするが、新聞・放送はさらに独自基準による規則が追加されている。また、学童向けの教科書・文書においては、教育漢字が定められている。
【００１１】
これらの文書の執筆者のためには、コンピュータのインプットメソッド用辞書が販売され広く利用されているが、最初に文書を入力する際にしか使用できないため、近年のデジタル化やＩＴ普及によるワンソース、マルチユースには適していない。
【００１２】
また、既に入力済みの文書を校正する専用ソフトウェアも販売されているが、対応するオペレーションシステムやアプリケーションソフトウェアには制限がある。
【００１３】
さらに、インプットメソッド用辞書、校正専用ソフトウェアともに、コンピュータの文書作成アプリケーション上で直接文書を推敲・編集することを目的としているため、文書の草案を一旦印刷し紙面上で校正を行う場合には使用できない。
【００１４】
また、執筆者、編集者など文書の改変権を有する使用者のみを対象としており、文書の原著作を改変せず、漢字の使用規則のみを適用とする場合には必ずしも適していない。
【００１５】
従来の公知技術としては、次のような文献が見られるが、本発明とは目的が異なるものである。
【先行技術文献】
【特許文献】
【００１６】
【特許文献１】特許第２９４０６０７号公報
【特許文献２】特開２０００−３３９３００号公報
【発明の概要】
【発明が解決しようとする課題】
【００１７】
本発明は、従来の文字の形状・情報を保持しながらも、漢字の使用規則など文字の使用条件に合わせたなんらかの明示的な情報を付加した文字フォントを作成し、これにより、記者や作家など特定の職業陣のみならず、制作会社や企業／官公庁広報、教育関係者など幅広い利用者に、安価で信頼性の高い校正支援手段を提供することを目的とするものである。
【課題を解決するための手段】
【００１８】
日本工業規格に準拠する日本語文字フォントの場合は、通常、その文字形状は一部の欧文字を除き、ＥＭスクエアと呼ばれる正方形の中に、適宜余白を持たせて配置する。
【００１９】
欧文字フォントの場合は、文字によってはＥＭスクエアの上下にも、形状の一部を伸張して表現することがあり、情報処理装置では文字の描画においては、この上下の空きが確保される技術はすでに確立している。
【００２０】
そこで、本発明にあっては、文字形状をデジタルデータとして作成する際に、形状の余白、ＥＭスクエアの周囲に、フォント技術として許容できる範囲の空きを持たせ、その部分に本来の文字形状を認識する妨げとならない情報を付与するものである。
【００２１】
また、フォントに付与した情報は、通常の情報処理装置ならば、オペレーションシステムやアプリケーションソフトの種類・バージョンに関係なく、ディスプレイ装置への出力、または紙への印刷などにより再現できるので、使用者が有する装置や環境への依存度、また使用のためのソフトウェアに対する習熟などの負担を著しく軽減するものである。
【発明の効果】
【００２２】
本発明にあっては、情報を付与した文字形状デジタルデータは、フォント技術においては従来の文字フォントを構成するデジタルデータと何ら変わりはないから、通常の文字フォントとしてソフトウェアプログラム化して供することによって、一般的な情報処理装置で使用することができるものである。
【００２３】
本発明では、情報の付与は、文字形状のデジタルデータに異なるデジタルデータを付加又は文字形状を文字として認識可能な範囲で、変形・装飾などを施すことにより実現する。
【００２４】
実施に当たっては、本来の文字形状を認識できるように保つことが肝要であり、付加するデジタルデータは文字形状を妨げない任意のマークや形状そのものへの装飾として付与することが可能である。
【００２５】
本発明によれば、文字フォントがインストール可能な情報処理装置であれば、オペレーションシステム、アプリケーションソフトウェアによらず、万人が使用・識別できる形で文字の付帯情報を表せるから、使用者の用途に応じた付帯情報を適切に選択することにより、様々な場面で情報処理装置を利用した文書作成を支援する。
【００２６】
具体例としては、デジタルコンテンツを元に書籍や電子メディアを製造する出版社、製作会社、一般企業や公共機関の広報、教育関係機関や児童教育に携わる個人などを対象に、特別なコンピュータ環境に依存せず利用できる校正支援ツールまたは学習用ツールとして作成、販売することが考えられる。
【００２７】
このとき、特別なコンピュータ環境に依存しないということは、通常のアプリケーションソフトウェアのようにオペレーションシステム毎の開発やバージョンアップを必要としないから、長期的に安定した価格で製品提供が可能となる。
【００２８】
さらに、使用者に特別な操作を要求せずに情報が明示されるから、情報処理の技能に未習熟であっても問題なく使用でき、校正支援ツール、学習用ツールの利用者を広げられることから、大きな社会的インパクトを有するものである。
【図面の簡単な説明】
【００２９】
【図１】付帯情報を表示するマークの配置箇所例を示す。
【図２】図１の配置箇所にマークを配置した使用例を示す。
【図３】文字形状サイズを小さくした場合におけるマークの別の配置箇所例を示す。
【図４】図３の配置箇所にマークを配置した使用例を示す。
【図５】原稿チェック，校正，執筆用フォントの使用例を示す。
【図６】外国人の日本語学習，日本人の外国語学習用フォント使用例を示す。
【図７】漢字学習，教育用フォント使用例を示す。
【図８】中国語学習用フォント使用例を示す。
【図９】漢字研究，フォント開発，デザインなど用フォント使用例を示す。
【図１０】図５を縦書き文書において実現した使用例を示す。
【図１１】図５をマーク配置によらず、文字形状の変形・装飾によって実現した使用例を示す。
【発明を実施するための形態】
【００３０】
本発明においては、情報の付与は、文字形状デジタルデータに異なるデジタルデータを付け加える、または文字形状を文字としての認識可能な範囲で変形・装飾などを施すことにより実現する。デジタルデータを付け加えたり、変形・装飾したりする方法は、すでに公知の技術を使用することにより、本発明の広範囲な応用を可能とする。
【００３１】
実施にあたっては、本来の文字形状を認識できるように保つことが肝要であるから、付加するデジタルデータは文字形状を妨げない任意のマークや、形状そのものへの装飾として付与する。
【００３２】
マークは、幾何記号（例えば三角形、四角形、円形、波線、破線、星形）や、その他の形状（例えば植物、動物、日用品などを視覚的に単純化したもの）、付与する付帯情報の意味を示唆する文字や略称、記号など（例えば、常用漢字を「常」や「Ｊ」で示す、教育漢字配当表を学年の数字で示す、日本工業規格での符号位置をその符号で示す、など）を使用することができる。これらマークには、著作権や商標権などを侵害しない限りにおいて、周知のシンボルマークを使用することもできる。
【００３３】
形状への変形・装飾は、例えば太字、斜体、影付き、縁取り付き、白抜きなどを使用することができる。
【００３４】
また、これらのマークと変形・装飾を複数組み合わせることで、異なった付帯情報を一つの文字形状に付与することもできる。
【００３５】
文字に付帯する情報としては、シフトＪＩＳｃｏｄｅ，ＪＩＳｃｏｄｅ，Ｕｎｉｃｏｄｅ（登録商標），画数，扁，訓読み，音読み，人名読み，英訳，韓国発音，中国語発音，グレード（習う学年）等がある。
【００３６】
付与されたマークおよび／または変形・装飾とそれが指し示す文字の付帯情報との関係は、ソフトウェアプログラムに一般的に付属される取り扱い説明書などの手段により使用者に提示する。
【実施例】
【００３７】
図１は付帯情報を表示するマークの配置箇所例を示し、「人」の四側部に囲った破線１は、日本語フォントの全角文字の配置エリア（ＥＭスクエア）を示し、その上下各２本の一点鎖線２，３，４，５は欧文字のために確保した空きエリアを示し、上下斜線部６，７はこの空きエリアより得る１文字に使用できるマークの配置箇所を示す。
【００３８】
図２は図１の斜線部６，７に情報を示すマークを配置した使用例を示す。
【００３９】
図３は文字形状を小さくした場合におけるマークの別の配置箇所を示し、「人」の四側部に囲った破線８は文字の配置エリアを示し、上下の斜線部９，１０と左右の斜線部１１，１２が使用できるマークの配置箇所を示す。
【００４０】
図４は図３の斜線部９，１０，１１，１２に情報を示すマークを配置した使用例を示す。
【００４１】
図５乃至図９は、本発明により文字フォントへの付与を行い得る文字の付帯情報と、それを文字形状にデジタルデータとして反映させた例を示すものである。
【００４２】
図５は原稿チェック，校正，執筆用フォントの使用例である。
【００４３】
これは、常用漢字の情報を、表外文字は文字形状左下のマーク「△」で表すことにより示し、さらに出版業界などでの独自の漢字使用規則を文字形状上のマーク「Ａ＋Ｎ＋」で示した例である。出版業界での原稿執筆や編集・製作において文字の推敲・校正用途に役立つ。
【００４４】
図６は外国人の日本語学習，日本人の外国語学習用フォントの使用例である。
【００４５】
これは、漢字の英語での意味（英語訳）を文字形状の下に示した例である。外国人が日本語を学習する場合、逆に日本人が外国語を学習する場合に、表意文字の特性を生かすことにより早期習得に役立つ。
【００４６】
図７は漢字学習，教育用フォントの使用例である。
【００４７】
これは、教育漢字配当表における学習学年を文字形状上のマーク「S１」で示し、読み方を文字形状の下に示した例である。従来は漢字辞典で参照していた情報を文字フォントで表現する役割を持つ。
【００４８】
図８は中国語学習用フォントの使用例である。
【００４９】
これは、中国語での発音を表す一般的な発音記号を文字形状下に示した例である。中国語発音記号は中国語キーボードの入力方法としても一般的に使用されるので、中国語学習やタイピングに役立つ。
【００５０】
図９は漢字研究，フォント開発，デザインなど用の使用例である。
【００５１】
これは、情報処理装置における代表的な文字符号方式であるシフトＪＩＳｃｏｄｅ、ＪＩＳｃｏｄｅを文字形状下に、Ｕｎｉｃｏｄｅを文字形状上に示した例である。情報処理装置を利用する漢字処理・フォント開発・デザイン設計など様々な分野で利用できる。
【００５２】
図１０は図５によって示される情報を、縦書きの文書に合わせて各々文字形状の左上、右に配置した使用例である。
【００５３】
このほか、情報の付与は、マーク配置によらず、文字形状の変形・装飾によって実現することができる。例えば太字、斜体、影付き、縁取り付き、白抜きなどを使用することができる。また、これらのマークと変形・装飾を複数組み合わせることで、異なった付帯情報をひとつの文字形状に付与することもできる。
【００５４】
図１１は図５によって示される情報を、空きエリアへのマーク配置によらず、各々文字形状の白抜き装飾、太字変形によって示した例である。
【００５５】
白抜きで表示された「俺」「鷹」の文字は、常用漢字表外字であることを示し、太字で表示された「拳」の文字は、出版業界の独自の漢字使用規則であることを示す。
【００５６】
本発明は上述の例に限定されるものでなく、文字への付帯情報として一般に認知されたもの、または、現在／将来を問わず、法令などにより公になった文字の使用規則、さらには出版社が有する自社独自の使用規則などの用途においても実施可能である。付帯情報を表現するマークや変形・装飾も前述に限定されない。さらに、付帯情報を付与する文字も、漢字・仮名に限定されず、英数字やハングル文字、その他の言語のための文字、または一般に「絵文字」と呼ばれる画像を、文字フォントとしてプログラム化したものなども使用することができる。
【００５７】
また付帯情報を付与する文字形状は、書体デザインや太さに何ら制限を受けないものである。
【図１】
2011054076.tif 000003
【図２】
2011054076.tif 000004
【図３】
2011054076.tif 000005
【図４】
2011054076.tif 000006
【図５】
2011054076.tif 000007
【図６】
2011054076.tif 000008
【図７】
2011054076.tif 000009
【図８】
2011054076.tif 000010
【図９】
2011054076.tif 000011
【図１０】
2011054076.tif 000012
【図１１】
2011054076.tif 000013